【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
複数の軽量体を収容する収容部と、
前記収容部内に風を送り前記複数の軽量体を空中に浮遊させる送風機構と、
一端にプレイヤが握るためのグリップを、他端に前記送風機構により空中に浮遊した前記軽量体を掬い取るカップを有する操作部材と、
前記プレイヤがグリップを握って操作すると、前記カップが前記グリップの操作に応じて前記収容部内で移動可能に前記操作部材を支持する支持機構と、
前記プレイヤの操作によって掬われた前記カップ内の前記軽量体を入れるゴール部材とを備えたことを特徴とする浮遊遊戯装置。
【請求項２】
複数の軽量体を収容する収容部と、
前記収容部内に風を送り前記複数の軽量体を空中に浮遊させる送風機構と、
前記収容部内に移動可能に配置され、前記送風機構により空中に浮遊した前記軽量体を掬い取るカップと、
プレイヤが前記カップの移動操作をするための操作手段と、
前記収容部内において前記カップの移動を駆動する駆動手段と、
前記プレイヤの操作に応じて前記駆動手段の駆動により前記カップが移動し、前記カップによって掬われた前記軽量体を入れるゴール部材とを備えたことを特徴とする浮遊遊戯装置。
【請求項３】
前記送風機構は、
風を送出する送風口を変化させて送風状態を変える送風状態変更機構を備えたことを特徴とする請求項１または請求項２に記載の浮遊遊戯装置。
【請求項４】
前記ゴール部材に前記軽量体が入ったことを検出するセンサーと、
前記センサーによってゴール部材に軽量体が入ったことを検出したことにより点数を加算して得点を演算する演算手段と、
前記演算手段によって演算した得点を表示する得点表示手段とを備えたことを特徴とする請求項１ないし請求項３に記載の浮遊遊戯装置。
【請求項５】
前記軽量体には複数の種類があり、
前記ゴール部材に入った前記軽量体の種類を識別する識別手段を備え、
前記識別手段によって識別された前記軽量体の種類に応じて、前記演算手段が演算する点数を変え、またはゲームの条件を変えることを特徴とする請求項４に記載の浮遊遊戯装置。
【請求項６】
景品を収容する景品収容部と、
前記景品収容部内の景品を払い出す景品払出手段と、
前記演算手段により演算された得点が所定得点以上となったときに前記景品払出手段により景品の払出しを指示する払出制御手段とを備えたことを特徴とする請求項４又は請求項５に記載の浮遊遊戯装置。
【手続補正２】
【補正対象書類名】明細書
【補正対象項目名】０００５
【補正方法】変更
【補正の内容】
【０００５】
【課題を解決するための手段および作用効果】
上記目的を達成するために、本発明は、複数の軽量体を収容する収容部と、前記収容部内に風を送り前記複数の軽量体を空中に浮遊させる送風機構と、一端にプレイヤが握るためのグリップを、他端に前記送風機構により空中に浮遊した前記軽量体を掬い取るカップを有する操作部材と、前記プレイヤがグリップを握って操作すると、前記カップが前記グリップの操作に応じて前記収容部内で移動可能に前記操作部材を支持する支持機構と、
前記プレイヤの操作によって掬われた前記カップ内の前記軽量体を入れるゴール部材とを備えた浮遊遊戯装置とした。
【手続補正３】
【補正対象書類名】明細書
【補正対象項目名】０００６
【補正方法】変更
【補正の内容】
【０００６】
プレイヤはグリップを握って操作部材を操作することでカップを動かし、軽量体を掬い取りゴールに入れるようにプレイすることができ、送風により浮遊させた軽量体の動きに拡がりと変化があってゲーム性を高め興味を抱かせることができる。
【手続補正４】
【補正対象書類名】明細書
【補正対象項目名】０００７
【補正方法】変更
【補正の内容】
【０００７】
請求項２記載の発明は、複数の軽量体を収容する収容部と、前記収容部内に風を送り前記複数の軽量体を空中に浮遊させる送風機構と、前記収容部内に移動可能に配置され、前記送風機構により空中に浮遊した前記軽量体を掬い取るカップと、プレイヤが前記カップの移動操作をするための操作手段と、前記収容部内において前記カップの移動を駆動する駆動手段と、前記プレイヤの操作に応じて前記駆動手段の駆動により前記カップが移動し、前記カップによって掬われた前記軽量体を入れるゴール部材とを備えた浮遊遊戯装置である。
遊技者は操作部材を操作することで駆動手段の駆動によりカップを動かし、軽量体を掬い取りゴールに入れるようにプレイすることができ、、送風により浮遊させた軽量体の動きに拡がりと変化があってゲーム性を高め興味を抱かせることができる。
【手続補正５】
【補正対象書類名】明細書
【補正対象項目名】０００８
【補正方法】変更
【補正の内容】
【０００８】
請求項３記載の発明は、請求項１または請求項２に記載の浮遊遊戯装置において、前記送風機構が、風を送出する送風口を変化させて送風状態を変える送風状態変更機構を備えたことを特徴とする。
送風状態が変更されて浮遊させられる移動体の動きが変わり、変化に富んだ動きをさせることができる。
【手続補正６】
【補正対象書類名】明細書
【補正対象項目名】０００９
【補正方法】変更
【補正の内容】
【０００９】
請求項４記載の発明は、請求項１ないし請求項３に記載の浮遊遊戯装置において、前記ゴール部材に前記軽量体が入ったことを検出するセンサーと、前記センサーによってゴール部材に軽量体が入ったことを検出したことにより点数を加算して得点を演算する演算手段と、前記演算手段によって演算した得点を表示する得点表示手段とを備えたことを特徴とする。
軽量体をゴールに入れる毎に点数が加算されるので、遊技者はプレイ中に現在の得点状況を知ることによりゲームをより一層楽しむことができる。
【手続補正７】
【補正対象書類名】明細書
【補正対象項目名】００１０
【補正方法】変更
【補正の内容】
【００１０】
請求項５記載の発明は、請求項４に記載の浮遊遊戯装置において、前記軽量体には複数の種類があり、前記ゴール部材に入った前記軽量体の種類を識別する識別手段を備え、前記識別手段によって識別された前記軽量体の種類に応じて、前記演算手段が演算する点数を変え、またはゲームの条件を変えることを特徴とする。
ゴールした軽量体の種類を識別できるので、遊技者は軽量体を選択してカップにより掬い取る高度なプレイをすることができ、ゲーム性を高めることができる。
または、ゴールした軽量体の種類によってゲームの条件が変えられるので、遊技者はゲームがより有利となる軽量体を選んでゴールするように高度なプレイを要求され、ゲーム性を高くすることができる。
【手続補正８】
【補正対象書類名】明細書
【補正対象項目名】００１１
【補正方法】変更
【補正の内容】
【００１１】
請求項６記載の発明は、請求項４又は請求項５に記載の浮遊遊戯装置において、景品を収容する景品収容部と、前記景品収容部内の景品を払い出す景品払出手段と、前記演算手段により演算された得点が所定得点以上となったときに前記景品払出手段により景品の払出しを指示する払出制御手段とを備えたことを特徴とする。
得点を稼ぐことにより景品の払い出しを受けることができるので、益々ゲームに熱中することができる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】